(57)【要約】【課題】取付作業および解体作業の容易を図る。【解決手段】ケース１とケース１１とが受部８と掛止部１８と差込部２０とを利用した嵌め合いで組み合わされるので、ケース１とケース１１との組立および解体の双方でドライバーのような工具の使用が不用となり、それらの作業を容易に行うことができる。回路基板２３がケース１とケース１１とに支持体２７を利用した嵌め合いで組み合わせられるので、回路基板２３のケース１とケース１１とへの組立および解体の双方でドライバーのような工具の使用が不用となり、それらの作業を容易に行うことができる。【選択図】        図２
2004181043.tif 000002
【特許請求の範囲】
【請求項１】
一対のケースで形成される内部空間に回路基板を格納した回路装置において、一方のケースの内部空間側に結合部を設け、結合部にケースと別体の緩衝材料からなる支持体を嵌め合いで取り付ける一方、支持体に回路基板を嵌め合いで取り付けたことを特徴とする回路装置。
【請求項２】
回路基板が取付部を備え、支持体がケースに装着される基部と基部よりも細く基部から突出した突起とを備え、突起が取付部に挿入され、この突起の基板より突出した先端部が他方のケースで押し潰されることで、支持体が回路基板を保持したことを特徴とする請求項１記載の回路装置。
【請求項３】
回路基板が取付部を備え、支持体がケースに装着される基部と基部よりも細く基部から突出した突起と突起の先端に取付部よりも大きな外形の規制部とを備え、突起が回路基板の取付部に挿入され、規制部が回路基板の取付部周りに配置されることで、支持体が回路基板を保持したことを特徴とする請求項１記載の回路装置。
【請求項４】
回路基板が取付部を備え、支持体がケースに装着される基部と基部の外周面に形成された溝部と溝部を挟む格好に形成された鍔部とを備え、溝部が回路基板の取付部に嵌め込まれ、鍔部が回路基板の取付部周りに配置されることで、支持体が回路基板を保持したことを特徴とする請求項１記載の回路装置。
【請求項５】
支持部の基部が他方のケースに嵌め合いで装着されたことを特徴とする請求項３または請求項４のいずれかに記載の回路装置。
【発明の詳細な説明】
【０００１】
【発明の属する技術分野】
本発明はパチンコ機やスロットマシンなどの遊技機に用いられる回路装置であって、特に、制御用の電気部品を実装する回路基板が一対のケースで形成される内部空間に取り付けられる構造に関する。
【０００２】
【従来の技術】
従来のパチンコ機やスロットマシンなどの遊技機に用いられる回路装置は、制御用の電気部品を実装した回路基板が一方のケースの内部にゴムまたは軟質合成樹脂を介在させて止ねじで固定されている（例えば、特許文献１参照）。
【０００３】
【特許文献１】
特開平９−２８８６２号公報（第１頁、要約、図９）
【０００４】
【発明が解決しようとする課題】
しかしながら、従来例は回路基板をケースに止ねじで固定した構造であるので、回路基板をケースに取り付ける場合、止ねじを締結する作業が必要となり、組立作業が面倒である。また、パチンコ店から使用済遊技機として破棄された廃棄台を分解して構成部品ごとに分別し、有効利用のリサイクルを考えた場合、回路装置の解体に際し、止ねじを取り外す作業が必要となり、解体作業が面倒であるという問題点があった。
【０００５】
そこで、本発明は、取付作業および解体作業の容易な回路装置を提供するものである。
【０００６】
【課題を解決するための手段】
本発明にあっては、一対のケースで形成される内部空間に回路基板を格納した回路装置において、一方のケースの内部空間側に結合部を設け、結合部にケースと別体の緩衝材料からなる支持体を嵌め合いで取り付ける一方、支持体に回路基板を嵌め合いで取り付けたことによって、ケースと支持体とが嵌め合いで組み合わせられるとともに、回路基板と支持体とが嵌め合いで組み合わせられるので、回路基板のケースへの組立および解体の双方でドライバーのような工具の使用が不用となり、それらの作業を容易に行うことができる。また、本発明にあっては、回路基板が取付部を備え、支持体がケースに装着される基部と基部よりも細く基部から突出した突起とを備え、突起が取付部に挿入され、この突起の基板より突出した先端部が他方のケースで押し潰されることで、支持体が回路基板を保持すれば、回路基板がケースと支持体とで上下左右にがたつくことなく安定した姿勢に取り付けられる。また、本発明にあっては、回路基板が取付部を備え、支持体がケースに装着される基部と基部よりも細く基部から突出した突起と突起の先端に取付部よりも大きな外形の規制部とを備え、突起が回路基板の取付部に挿入され、規制部が回路基板の取付部周りに配置されることで、支持体が回路基板を保持すれば、または、支持体がケースに装着される基部と基部の外周面に形成された溝部と溝部を挟む格好に形成された鍔部とを備え、溝部が回路基板の取付部に嵌め込まれ、鍔部が回路基板の取付部周りに配置されることで、支持体が回路基板を保持すれば、ケースで規制部を押し潰さなくても、回路基板がケースと支持体とで上下左右にがたつくことなく安定した姿勢に取り付けられる。また、本発明にあっては、支持部の基部が他方のケースに凹凸嵌合で装着されれば、支持体の姿勢が一層安定する。
【０００７】
【発明の実施の形態】
図１−図４は第１実施形態であって、図１は回路装置の取付工程を示し、図２は回路装置を分解して示し、図３は回路装置を左右方向で切断した断面を示し、図４は回路装置を前後方向で切断した断面を示す。
【０００８】
図２を参照し、回路装置について説明する。回路装置における一方のケース１は方形板状の底部２における左右縁から上方に向けて左右側壁３；４を平行に立設し、底部２における前縁に複数の切欠部５を形成し、底部２における後縁から上方に後壁６を立設し、底部２と後壁６との連接部分に基板逃部７および複数の受部８を形成し、左右側壁３；４と後壁６とを互いに接続し、底部２の上面に台座９を備え、台座９の上面に台座９よりも細い凸状の結合部１０を備える。回路装置における他方のケース１１は方形板状の天井部１２における周縁から下方に向けて前後壁１３；１４と左右側壁１５；１６を突設し、前後壁１３；１４と左右側壁１５；１６とを互いに接続し、前壁１３にフック１７の有る複数の掛止部１８を形成し、後壁１４に基板逃部１９および複数の差込部２０を形成し、天井部１２の下面に複数の押さえ部２１を複数の結合部１０と対応する位置に突出する。
【０００９】
そして、底部２の上面と天井部１２の下面とが互いに向き合わされる格好で、差込部２０と受部８とが互いに挿入され、ケース１とケース１１とが互いに近づけられ、フック１７が切欠部５から外力を受けることで、掛止部１８が外側に撓み、さらに、ケース１とケース１１との近づき合いで、フック１７が切欠部５を底部２の上面の側から外側面の方向に越えると、掛止部１８が自身の弾性で復元し、フック１７が底部２の切欠部５の周りに係合する。これによって、ケース１とケース１１とが互いに組み合わされる。このようにケース１とケース１１とが組み合わされた場合、結合部１０と押さえ部２１とが互いに上下方向で向き合わされ、図３に示すように、左右側壁３；４の内側と左右側壁１５；１６の外側面とが互いに接触するかまたは接触する程度に、左右側壁３；４と左右側壁１５；１６とが互いに左右方向で向き合わされ、底部２と左右側壁３；４が互いに上下方向で突き合わせられる一方、図４に示すように、後壁６と後壁１４とが互いに前後方向で向き合わせられ、基板逃部７と基板逃部１９とが互いに隙間を形成し、底部２と前壁１３とが互いに上下方向で突き合わせられた形態となり、ケース１とケース１１とで内部空間２２が形成される。
【００１０】
図２に戻り、回路装置の回路基板２３は内部空間２２（図３；図４参照）に収納可能な方形部２４の後縁に横幅の狭い接続部２５を突出した形態であって、方形部２４に複数の取付部としての取付孔２６を結合部１０と対応する位置に備える。方形部２４には図３および図４に示す制御用の電気部品Ａが実装され、接続部２５には図４に示すコネクタＢが実装される。このコネクタＢには回路装置と接続される図外の相手側部品の配線に結合されたコネクタが嵌め込まれる。そして、取付孔２６が結合部１０と位置合わせされた場合、方形部２４が内部空間２２に収まり、接続部２５が基板逃部７と基板逃部１９との間における隙間から外側に突出する。回路装置の支持体２７はゴムまたは弾性を有する合成樹脂のような緩衝材料で、基部２８と突起２９と結合部３０とからなる単一体である。
【００１１】
図１を参照し、回路装置の組立について説明する。ステップ１０１は回路装置の組立前の形態であり、ステップ１０２は回路装置の組立後の形態である。回路装置を組み立てるには、先ず、台座９の結合部１０と支持体２７の結合部３０とが互いに嵌め合わせられる。この場合、結合部１０と結合部３０とがまたは台座９と支持体２７とが接着剤で互いに結合されてもよい。また、支持体２７の突起２９と回路基板２３の取付孔２６とが互いに嵌め合わされるのに伴い、突起２９の先端部が取付孔２６から上方に突出し、回路基板２３の取付孔２６周りの下面と基部２８の上面とが互いに接触する。支持体２７が緩衝材料で形成されているので、突起２９と取付孔２６とが互いに嵌め合わされる場合、ケース１；１１や回路基板２３および支持体２７のそれぞれにおける寸法誤差が支持体２７の撓みで吸収される。
【００１２】
その後、ケース１とケース１１とが互いに組み合わせられる過程において、ケース１１における押さえ部２１が支持体２７における回路基板２３の上面よりも上方に突出した突起２９を押圧する。この押圧に伴い、突起２９における回路基板２３の上面よりも上方に突出した先端部が押さえ部２１で押し潰される。このように、突起２９の先端部が押し潰されることで、回路基板２３は内部空間２２に位置決めされつつ格納された状態でケース１とケース１１とが支持体２７を介して上下左右にがたつくことなく安定した姿勢に取り付けられる。
【００１３】
一方、回路装置を解体する場合について説明すると、例えば、作業者が図２のフック１７を外側に押して掛止部１８を外側に広げるとともにケース１とケース１１とを互いに離す方向に操作することで、フック１７と切欠部５との係合を解除する。そして、フック１７が切欠部５から底部２の上面の側に移動したら、作業者がケース１１を前側に横にずらすことで、差込部２０が受部８から引き抜かれる。これによって、ケース１とケース１１との組み合わせが分解される。その後、回路基板２３の取付孔２６と支持体２７の突起２９との嵌め合いを解除し、さらに、支持体２７と台座９の嵌め合いを解除することで、回路装置が解体される。
【００１４】
要するに、第１実施形態の構造によれば、ケース１とケース１１とが受部８と掛止部１８と差込部２０とを利用した嵌め合いで組み合わされるので、ケース１とケース１１との組立および解体の双方でドライバーのような工具の使用が不用となり、それらの作業を容易に行うことができる。回路基板２３がケース１とケース１１とに支持体２７を利用した嵌め合いで組み合わせられるので、回路基板２３のケース１とケース１１とへの組立および解体の双方でドライバーのような工具の使用が不用となり、それらの作業を容易に行うことができる。支持体２７が緩衝材料で形成されているので、回路基板２３をケース１とケース１１との内部空間２２に支持体２７で取り付けた回路装置が遊技機に取り付けられて使用された場合において、遊技機の製造会社から遊技店への販売のための運搬中、遊技店での遊技中などで振動が回路装置に伝達しても、振動を支持体２７が負担するので、回路基板２３に実装された電気部品を振動から保護することができる。
【００１５】
図５は第２実施形態に係る回路装置の取付工程を示す。ステップ２０１は回路装置の組立前の形態であって、ケース１における台座９の上面には凸状の結合部１０に代わる凹状の結合部３１を備える。支持体２７における突起２９が先端に規制部３２を備える。規制部３２は取付孔２６よりも大きな横の外形を有する。支持体２７における基部２８が底部に凹状の結合部３０に代わる凸状の結合部３３を備える。そして、結合部３１と結合部３３とが互いに嵌め合わされることで、台座９と支持体２７とが結合される。
【００１６】
ステップ２０２は回路装置の組立後の形態であって、規制部３２が取付孔２６に挿入されるのに伴い横に縮まり、取付孔２６から上方に抜けるのに伴い取付孔２６よりも大きな横の外形に復元する。この復元によって、規制部３２が回路基板２３の取付孔２６周りに配置されることで、規制部３２が回路基板２３の突起２９らの抜けを防止し、支持体２７が回路基板２３をケース１に保持する。ケース１とケース１１とが互いに組み合わせられることで、押さえ部２１が規制部３２を押し潰してもよいが、押さえ部２１が規制部３２の真上に接触するかまたは接触する程度に配置されることで、支持体２７が台座９に接着されていなくとも台座９から抜けるのを防止し、回路基板２３の取り付けられた姿勢を適切に保持することができる。押さえ部２１が規制部３２を押し潰さなければ、ケース１とケース１１との嵌め合わせ力も少なくなり、ケース１とケース１１との組み合わせ作業も楽になる。
【００１７】
図６は第３実施形態に係る回路装置の取付工程を示す。ステップ３０１は回路装置の組立前の形態であり、ステップ３０２は回路装置の組立後の形態である。第３実施形態では台座９と支持体２７とが結合部１０と結合部３０とを利用することは図１と同じ形態であり、支持体２７と回路基板２３とが取付孔２６と突起２９および規制部３２を使用することは図５と同じ形態ある。つまり、第３実施形態は第１実施形態の一部と第２実施形態の一部とを合体した形態である。
【００１８】
図７は第４実施形態に係る回路装置の取付工程を示す。ステップ４０１は回路装置の組立前の形態であり、ステップ４０２は回路装置の組立後の形態である。第４実施形態では台座９と支持体２７とが結合部３１と結合部３３とを利用することは図５と同じ形態であり、支持体２７と回路基板２３とが取付孔２６と突起２９とを使用することは図１と同じ形態ある。つまり、第４実施形態は第１実施形態の一部と第２実施形態の一部とを合体した形態である。
【００１９】
図８は第５実施形態に係る回路装置の取付工程を示す。ステップ５０１は回路装置の組立前の形態であって、ケース１は図１と同じ形態である。ケース１１における押さえ部２１の下面には凸状の結合部３４を備える。支持体２７は基部２８の上面から下面に貫通する内孔３５と、基部２８の外周面に形成された溝部３６と、溝部３６を挟む格好に形成された鍔部３７；３８とを備える。ステップ５０２は回路装置の組立後の形態であって、内孔３５と結合部１０とが互いに嵌め合わされることで、台座９と支持体２７とが結合される。鍔部３７；３８の一方が取付孔２６に挿入されるのに伴い横に縮まり、取付孔２６から上方に抜けるのに伴い取付孔２６よりも大きな横の外形に復元する。この復元によって、鍔部３７；３８が回路基板２３の取付孔２６周りに配置されることで、鍔部３７；３８が回路基板２３の突起２９らの抜けを防止し、支持体２７が回路基板２３をケース１に保持する。ケース１とケース１１とが互いに組み合わせられることで、結合部３４と支持体２７の内孔３５とが互いに嵌め合わされることで、ケース１１と支持体２７とが結合される。
【００２０】
取付部は回路基板２３の外側面から内側に窪む溝であっても同様に適用することができる。
【図面の簡単な説明】
【図１】第１実施形態の回路装置の取付工程を示すフローチャート。
【図２】第１実施形態の回路装置を示す分解斜視図。
【図３】第１実施形態の回路装置を示す左右方向断面図。
【図４】第１実施形態の回路装置を示す前後方向断面図。
【図５】第２実施形態の回路装置の取付工程を示すフローチャート。
【図６】第３実施形態の回路装置の取付工程を示すフローチャート。
【図７】第４実施形態の回路装置の取付工程を示すフローチャート。
【図８】第５実施形態の回路装置の取付工程を示すフローチャート。
【符号の説明】
１  ケース、１０  結合部、１１  ケース、２２  内部空間、２３  回路基板、
２６  取付孔、２７  支持体、２８  基部、２９  突起、３１  結合部、
３２  規制部、３６  溝部、３７  鍔部、３８  鍔部。
【図１】
2004181043.tif 000003
【図２】
2004181043.tif 000004
【図３】
2004181043.tif 000005
【図４】
2004181043.tif 000006
【図５】
2004181043.tif 000007
【図６】
2004181043.tif 000008
【図７】
2004181043.tif 000009
【図８】
2004181043.tif 000010